(57)【特許請求の範囲】
【請求項１】
両耳信号処理のためのシステムであって、前記システムは、
ユーザの左および右の耳の近くに取り付けられるとともに、前記ユーザの左および右の耳へそれぞれ第１および第２の音響信号を配送するようにそれぞれ構成された第１のスピーカーおよび第２のスピーカーと、
前記ユーザの左および右の耳の近くに取り付けられるようにそれぞれ構成された第１のマイクロフォンおよび第２のマイクロフォンと、
前記第１および第２のマイクロフォンから信号を受信するとともに、前記第１および第２のマイクロフォンからの前記信号に基づいて前記第１および第２の音響信号を定義するため両耳処理デバイスであって、前記ユーザの前記左および右の耳から遠位にあるときに動作可能である、前記両耳処理デバイスとを備え、
前記第１および第２のスピーカー、前記第１および第２のマイクロフォン、および前記両耳処理デバイスは、第１および第２のマイクロフォンから前記両耳処理デバイスへ、かつ前記両耳処理デバイスから前記第１および第２のスピーカーへ信号が通過するように構成された信号ネットワークによって接続され、前記信号ネットワークは、単線で連結されたバスループにおけるアップストリームからのデータが、前記第１および第２のスピーカーと前記第１および第２のマイクロフォンのそれぞれによって修復されるとともに、前記単線で連結されたバスループにおけるダウンストリームへ再変調される連結された構成を有する単線で連結されたバスループを具備し、前記第１および第２のスピーカーは、前記単線で連結されたバスループにおける前記両耳処理デバイスのダウンストリームに配置されるとともに、前記第１および第２のマイクロフォンは、前記単線で連結されたバスループにおける前記第１および第２のスピーカーのダウンストリームに配置される、両耳信号処理のためのシステム。
【請求項２】
補聴器を実施するように構成される、請求項１に記載のシステム。
【請求項３】
補聴援助デバイス（ＡＬＤ）または個人用音響増幅製品（ＰＳＡＰ）を実施するように構成される、請求項１に記載のシステム。
【請求項４】
両耳テレフォニーヘッドセット、音声再生、または音声録音を実施するように構成される請求項１から３のいずれか一項に記載のシステム。
【請求項５】
前記単線で連結されたバスループは、標準ジャックによって前記両耳処理デバイスへ接続される、請求項１に記載のシステム。
【請求項６】
前記両耳処理デバイスは、ネットワークマスターとして動作するとともに、前記単線で連結されたバスループ上の他のデバイスによるクロック読み出しのために、前記単線で連結されたバスループ上でマスタークロック信号を提供する、請求項１に記載のシステム。
【請求項７】
前記信号ネットワークは、複数のデバイスに送信または受信を同時に行うことを許可するために複数のデータチャネルをサポートする、請求項１に記載のシステム。
【請求項８】
前記両耳処理デバイスが、携帯電話、タブレットコンピュータ、およびｅリーダーのうちの１つを具備する、請求項１に記載のシステム。
【請求項９】
１つより多いマイクロフォンは、片方または両方の耳において提供される、請求項１に記載のシステム。
【請求項１０】
両耳において取り込まれた音は、各耳へ配送されるための前記第１および第２の音響信号を生成するために使用される、請求項１に記載のシステム。
【請求項１１】
両耳信号処理のための方法であって、前記方法は、
ユーザの左耳の近くに取り付けられた第１のマイクロフォンから第１のマイクロフォン信号を獲得するとともに、ユーザの右の耳の近くに取り付けられた第２のマイクロフォンから第２のマイクロフォン信号を獲得するステップと、
両耳処理デバイスが、信号ネットワークを通じて前記第１および第２のマイクロフォン信号を受信するとともに、前記第１および第２のマイクロフォン信号に基づいて、第１および第２の出力信号を生成するとともに、前記両耳処理デバイスが、前記ユーザの前記左および右の耳から遠位にある場合に動作可能である、ステップと、
前記ユーザの前記左および右の耳の近くにそれぞれ取り付けられた第１のスピーカーおよび第２のスピーカーが、前記信号ネットワークを通じて前記両耳処理デバイスから前記第１および第２の出力信号をそれぞれ受信するとともに、前記ユーザの前記左および右の耳へ第１および第２の音響信号をそれぞれ配送するステップと、を具備し、
前記信号ネットワークは、単線で連結されたバスループにおけるアップストリームからのデータが、前記第１および第２のスピーカーと前記第１および第２のマイクロフォンのそれぞれによって修復されるとともに、前記単線で連結されたバスループにおけるダウンストリームへ再変調される連結された構成を有する単線で連結されたバスループを具備し、前記第１および第２のスピーカーは、前記単線で連結されたバスループにおける前記両耳処理デバイスのダウンストリームに配置されるとともに、前記第１および第２のマイクロフォンは、前記単線で連結されたバスループにおける前記第１および第２のスピーカーのダウンストリームに配置される、方法。
【請求項１２】
１つ以上のプロセッサにおいて実行されるための命令を具備する両耳信号処理のための不揮発性コンピュータ読み取り可能媒体であって、前記命令は、
ユーザの左耳の近くに取り付けられた第１のマイクロフォンから第１のマイクロフォン信号を獲得するとともに、ユーザの右の耳の近くに取り付けられた第２のマイクロフォンから第２のマイクロフォン信号を獲得するステップと、
両耳処理デバイスが信号ネットワークを通じて前記第１および第２のマイクロフォン信号を受信するとともに、前記第１および第２のマイクロフォン信号に基づいて、第１および第２の出力信号を生成するとともに、前記両耳処理デバイスが前記ユーザの前記左および右の耳から遠位にある場合に動作可能であるステップと、
第１のスピーカーおよび第２のスピーカーが、前記ユーザの前記左および右の耳の近くにそれぞれ取り付けられ、前記信号ネットワークを通じて前記両耳処理デバイスから前記第１および第２の出力信号をそれぞれ受信するとともに、前記ユーザの前記左および右の耳へ第１および第２の音響信号をそれぞれ配送するステップと、を実行し、
前記信号ネットワークは、単線で連結されたバスループにおけるアップストリームからのデータが、前記第１および第２のスピーカーと前記第１および第２のマイクロフォンのそれぞれによって修復されるとともに、前記単線で連結されたバスループにおけるダウンストリームへ再変調される連結された構成を有する単線で連結されたバスループを具備し、前記第１および第２のスピーカーは、前記単線で連結されたバスループにおける前記両耳処理デバイスのダウンストリームに配置されるとともに、前記第１および第２のマイクロフォンは、前記単線で連結されたバスループにおける前記第１および第２のスピーカーのダウンストリームに配置される、不揮発性コンピュータ読み取り可能媒体。
【請求項１３】
テレフォンヘッドセットに含まれる、請求項１に記載の両耳信号処理のためのシステム。
【請求項１４】
音声再生デバイスに含まれる、請求項１に記載の両耳信号処理のためのシステム。
【請求項１５】
音声録音デバイスに含まれる、請求項１に記載の両耳信号処理のためのシステム。
【発明の詳細な説明】
【技術分野】
【０００１】
本発明は、２０１２年１０月５日出願の英国仮特許出願６１／７１０，２４８号明細書に基づく利益を主張し、これらを本明細書に援用する。
【背景技術】
【０００２】
本発明は、マイクロフォンまたは他のそのようなトランスデューサーからの信号のデジタル処理に関し、特に、両耳補聴器のような両耳聴覚システムのための信号処理のためのシステムに関する。
【発明の概要】
【発明が解決しようとする課題】
【０００３】
両耳聴覚システムは、２つの独立した音響信号の１つをユーザの各耳へ配送することによって、一般的に、音響信号が１つの耳へ配送されるモノラルシステムよりも良い性能を提供し、音の明快さに関して、ダイナミックレンジ、音声知覚、および「自然な」音声が知覚される。両耳システムはステレオ効果を達成することができる。さらに、難聴のユーザに対して、両耳システムによって生成された各音響信号は、一般的に聴力図によって定義されるような、配送される前記耳の需要を最も満たすために、一意にカスタマイズされることができる。加えて、両耳システムによって生成される各音響信号は、一般的にモノラルシステムのために必要とされる音量よりも低い音量に設定されることができ、前記ユーザの聴覚にかかるストレスはより少なくなる。
【０００４】
図１は、１つが前記ユーザの各耳上にある２つの補聴器１０２、１０４を具備する典型的な両耳システムを図示する。ステレオ補聴器の機能性は、イアレベル（ｅａｒ  ｌｅｖｅｌ）のマイクロフォンおよびスピーカーによって達成される。簡単な形態の、各耳における前記ＤＳＰ処理は、独立している。最高の性能のために、両耳システムは、各耳に対して独立して動作する２つのモノラルデバイスを単純に具備するべきではない。むしろ影響する要素を考慮して処理することで生成されるか、もう一方の耳から配送された、１つの耳のために両耳システムによって生成された各音響信号が望ましく、そのような処理は、「統合された」両耳処理として本明細書において言及される。しかしながら、統合された両耳信号処理は、著しく大きな複雑さを必要とするとともに、例えば、どちらのデバイスでも取り付けられることができる単一のプロセッサ、または各デバイスにおける１つのその様なプロセッサにおける統合された処理のために、実質的に継続的な信号および両耳の環境パラメータの収集を必要とする。
【０００５】
デバイスは、各耳におけるスピーカーを有するが、しかしながら各耳におけるマイクロフォン情報を集めず、また多数の不利を被る。例えば、従来のテレフォニーヘッドセットは、各耳のスピーカーと、前記ユーザの口、頬、または喉頭の近くにブームマウントされた（ｂｏｏｍ−ｍｏｕｎｔｅｄ）または有線マウントされた（ｗｉｒｅ−ｍｏｕｎｔｅｄ）マイクロフォンと、前記ヘッドセットから制御デバイス（携帯電話、デスクトップコンピュータ、またはデスクトップテレフォンベースであってもよい）への有線または無線接続を有することができる。前記マイクロフォン信号は、ノイズ除去のような信号処理技術の種類を実施するために前記制御デバイスによって解析されることができるが、前記耳から遠位にある前記マイクロフォンのようなデバイスは、それらがモノチャネルを提供するとともに方向キューを与えないため、効果的な補聴器性能を提供することができない。また、統合された両耳処理は、単一のマイクロフォンのみに影響されることができない。同様に、ＭＰ３プレーヤ等のような音声再生デバイスは、２つの独立した音響信号を前記ユーザのそれぞれの耳へ配送し、例えばステレオ効果を提供するが、これらのデバイスは、各耳に対する前記音響信号は、影響する要素を考慮した手法によって生成されるか、または、その耳、および前記他の耳から配送されることができるため、各耳の近くにあるマイクロフォンを提供せず、したがって、統合された両耳信号処理を提供しない。
【０００６】
本明細書に含まれる文献、行為、材料、デバイス等のいずれの議論も、本発明の背景をもたらすためのものに過ぎない。これらの事項のいずれかまたは全てが従来技術の基礎を形成すると、または、本出願の各特許請求事項の優先日以前に存在するとして、本発明が関連する分野の一般知識であったと自認したとみなされるべきではない。
【０００７】
本明細書を通して、語「具備する（ｃｏｍｐｒｉｓｅ）」、または「具備する（ｃｏｍｐｒｉｓｅｓまたはｃｏｍｐｒｉｓｉｎｇ）」などの変形は、述べた要素、整数またはステップ、または要素、整数またはステップの群を含むが、任意の他の要素、整数またはステップ、または要素、整数またはステップの群を排除しないことを暗示することを理解されたい。
【課題を解決するための手段】
【０００８】
第１の様態によれば、本発明は、両耳信号処理のためのシステムであって、
ユーザの左および右の耳の近くに取り付けられるとともに、前記ユーザの左および右の耳へそれぞれ第１および第２の音響信号を配送するようにそれぞれ構成された第１のスピーカーおよび第２のスピーカーと、
前記ユーザの左および右の耳の近くに取り付けられるようにそれぞれ構成された第１のマイクロフォンおよび第２のマイクロフォンと、
前記第１および第２のマイクロフォンから信号を受信するとともに、前記第１および第２のマイクロフォンからの前記信号に基づいて前記第１および第２の音響信号を定義するため両耳処理デバイスであって、前記ユーザの前記左および右の耳から遠位にあるときに動作可能である、前記両耳処理デバイスとを備え、
前記第１および第２のスピーカー、前記第１および第２のマイクロフォン、および前記両耳処理デバイスは、第１および第２のマイクロフォンから前記両耳処理デバイスへ、かつ前記両耳処理デバイスから前記スピーカーへ信号が通過するように構成された信号ネットワークによって接続される、両耳信号処理のためのシステムを提供する。
【０００９】
第２の様態によれば、本発明は、両耳信号処理のための方法であって、前記方法は、
両耳信号処理のための方法であって、
ユーザの左耳の近くに取り付けられた第１のマイクロフォンから第１のマイクロフォン信号を獲得するとともに、ユーザの右の耳の近くに取り付けられた第２のマイクロフォンから第２のマイクロフォン信号を獲得するステップと、
両耳処理デバイスが、信号ネットワークを通じて前記第１および第２のマイクロフォン信号を受信するとともに、前記第１および第２のマイクロフォン信号に基づいて、第１および第２の出力信号を生成するとともに、前記両耳処理デバイスが、前記ユーザの前記左および右の耳から遠位にある場合に動作可能である、ステップと、
前記ユーザの前記左および右の耳の近くにそれぞれ取り付けられた第１のスピーカーおよび第２のスピーカーが、前記信号ネットワークを通じて前記両耳処理デバイスから前記第１および第２の出力信号をそれぞれ受信するとともに、前記ユーザの前記左および右の耳へ第１および第２の音響信号をそれぞれ配送するステップと、を具備する方法を提供する。
【００１０】
本発明の別の様態によれば、コンピュータに両耳信号処理のための手順を実行させるためのコンピュータプログラムコードを具備するコンピュータプログラム製品であって、前記第２の態様の前記方法を実行するためのコンピュータプログラムコードを具備するコンピュータプログラム製品を提供する。
【００１１】
１つ以上のプロセッサにおいて実行されるための命令を具備する両耳信号処理のための不揮発性コンピュータ読み取り可能媒体であって、前記命令は、
ユーザの左耳の近くに取り付けられた第１のマイクロフォンから第１のマイクロフォン信号を獲得するとともに、ユーザの右の耳の近くに取り付けられた第２のマイクロフォンから第２のマイクロフォン信号を獲得するステップと、
両耳処理デバイスが信号ネットワークを通じて前記第１および第２のマイクロフォン信号を受信するとともに、前記第１および第２のマイクロフォン信号に基づいて、第１および第２の出力信号を生成するとともに、前記両耳処理デバイスが前記ユーザの前記左および右の耳から遠位にある場合に動作可能であるステップと、
第１のスピーカーおよび第２のスピーカーが、前記ユーザの前記左および右の耳の近くにそれぞれ取り付けられ、前記信号ネットワークを通じて前記両耳処理デバイスから前記第１および第２の出力信号をそれぞれ受信するとともに、前記ユーザの前記左および右の耳へ第１および第２の音響信号をそれぞれ配送するステップと、を実行する、不揮発性コンピュータ読み取り可能媒体である。
【００１２】
前記発明の実施形態において、前記両耳信号処理は、補聴器を実施するように構成されてもよい。加えて、または代替的に、前記両耳信号処理は、補聴援助デバイス（ＡＬＤ）または個人用音響増幅製品（ＰＳＡＰ）を実施するように構成されてもよい。加えて、または代替的に、前記両耳信号処理は、両耳テレフォニーヘッドセット、音声再生機能、または音声録音機能を実施するように構成されてもよい。
【００１３】
前記信号ネットワークは、好ましくは単線バスを具備する前記第１および第２のスピーカー、前記第１および第２のマイクロフォン、並びに前記両耳処理デバイスへ接続される。このような実施形態は、既に一般の消費者向けのヘッドフォンワイヤの使用を可能にする点で、特に有利である。例えば、適切なアプリまたはアプリケーションを実行するスマートフォンは、業界標準の３．５ｍｍジャックを通じて適切なヘッドセットと接続することができるとともに、そのような本発明の実施形態を実施する。
【００１４】
前記第１および第２のスピーカー、前記第１および第２のマイクロフォン、並びに前記両耳処理デバイスは、好ましくは前記信号ネットワークを完成させるために、互いに前記単線バスに沿って繋がれる。前記両耳処理デバイスは、好ましくはネットワークマスターとして動作するとともに、前記バス上の他のデバイスによるクロック読出しのために、前記バス上でマスタークロック信号を提供する。前記信号ネットワークは、好ましくは、時分割多重化チャネルのように、複数のデバイスに送信または受信を同時に行うことを許可するために複数のチャネルをサポートする。好ましくは、前記クロック信号および信号データは、前記バス上のシングルシンボルストリーム内に埋め込まれる。
【００１５】
好ましい実施形態において、前記第１および第２のスピーカーは、前記ネットワークチェインにおける前記バスマスターのダウンストリームに配置されるとともに、前記第１および第２のマイクロフォンは、前記ネットワークチェインにおける前記第１および第２のスピーカーのダウンストリームに位置する。そのような実施形態において、前記両耳処理デバイスから前記第１および第２のスピーカーへ前記第１および第２の出力信号を送信するために使用されるデータスロットは、その後、前記第１および第２のマイクロフォン信号を前記両耳処理デバイスへ送信するために、前記第１および第２のマイクロフォンによって使用できるようになる。しかしながら、代わりの接続順番は、代わりの実施形態において提供されてもよい。
【００１６】
前記テレフォニーヘッドセットは、イヤカップを支えるためのオーバーヘッドクレードル、前記スピーカーをマウントするためのオーバーイアモールド、または、支えられていないイアバッドを具備してもよい。
【００１７】
前記両耳処理デバイスは、例えば、携帯電話、スマートフォン、タブレットコンピュータ、ｅリーダーを具備してもよい。
【００１８】
前記第１および第２のマイクロフォンと、前記第１および第２のスピーカーとは、好ましくは、ヘッドセットの上に取り付けられる。前記ヘッドセットは、前記両耳処理デバイスへの有線接続を有するか、無線接続を利用してもよい。前記ヘッドセットと前記両耳処理デバイスとの間の前記接続は、好ましくは、改善されたシステム性能のために低いレイテンシである。
【００１９】
いくつかの実施形態において、１つより多いマイクロフォンが片方または両方の耳に提供される。
【００２０】
前記マイクロフォンは、外耳道の外部または内部に配置されてもよい。
【００２１】
いくつかの実施形態において、１つの耳の前記マイクロフォンによって獲得された音声は、各耳に１つずつ配置される２つの独立した補聴器を効果的に実施するために、その耳へ配送されるための前記音響信号を決定するために排他的に使用される。代替的に、両方の耳において獲得された音声が、各耳へと配送されるための前記音響信号を生成するために使用されてもよく、それにより、両耳は前記２つの補聴器を統合する。
【００２２】
本発明の例は、添付の図面を参照して説明される。
【図面の簡単な説明】
【００２３】
【図１】図１は、典型的な従来の両耳システムを図示する。
【図２】図２は、本発明の１つの実施形態による統合された両耳信号処理のためのシステムを図示する。
【図３】図３は、図２の前記システムにおける接続された単線信号ネットワークを図示する。
【図４】図４は、前記スマートフォン内の前記ＤＳＰ処理を図示する。
【発明を実施するための形態】
【００２４】
図２は、本発明の１つの実施形態による統合された両耳信号処理のためのシステムを図示する。両耳処理デバイス２０２は、２つのスピーカー２１０、２２０と、２つのマイクロフォン２１２、２２２とを備える単線信号ネットワーク内に接続される。前記スピーカーおよびマイクロフォンは、使用時にユーザの耳の近くに１つのスピーカーおよび１つのマイクロフォンを配置するために、有線ヘッドセットとして配置される。例えば、前記ユーザの声を獲得するため、または他の場所における追加の信号を獲得するために、より多くのマイクロフォンも提供されることができる（例えば、２３０、２３２、２３４）。前記イアピース（ｅａｒｐｉｅｃｅｓ）上に位置する追加のマイクロフォンは、前記外耳道の外部または内部に位置してもよい。前記マイクロフォンの信号は、前記信号ネットワーク（図３）を通じて、前記プロセッサ２４０に伝わる。前記標準の３．５ｍｍジャック（２５０）およびヘッドセットのワイヤは、２から６つのマイクロフォン（２１２、２２２、２３０、２３２、２３４等）および電気的接地部から適宜前記スピーカーおよびマイクロフォンのための電力と一緒にデータを伝送する。
【００２５】
前記信号ネットワークバスが図３において図示される。前記バスにおける低いレイテンシは、全体的な処理の遅延およびフィードバックの取消しのために重要である。
【００２６】
両耳処理は、前記両耳処理デバイス（この実施形態では携帯ハンドセット）において実施される。代替的な実施形態は、この機能のためのタブレットコンピュータまたは、ｅリーダーを利用してもよい。
【００２７】
この実施形態において、前記両耳処理は、両耳補聴器処理をもたらすように構成される。すなわち、前記ユーザの耳の付近から獲得された信号は、ユーザ固有のプログラムにしたがって処理および増幅されるとともに、その後、前記両耳スピーカー２１０、２２０を介して配送され、ステレオ効果および方向キューを与える。また、前記携帯ハンドセットにおいて処理された前記補聴器処理は、設定可能であるとともに、この実施形態においては、前記携帯デバイスの前記プロセッサ２４０で実行中のアプリの制御下にある。前記アプリは、前記ユーザ固有のプログラムを実施するように配置されるとともに、前記プログラムが必要なときにアップデートされることを許可するために前記携帯デバイスを介してユーザ入力を受信する。
【００２８】
適切な増幅および／または処理は、前記アプリによって実行されるプログラムにしたがって、音楽の再生および前記携帯デバイスの前記プロセッサ２４０によって提供されるテレフォニーにも適用される。
【００２９】
図４に図示されるように、音響信号処理は、電話ＤＳＰ２４０において実施される。ＤＳＰ２４０は、（各耳に２つのマイクを有する）指向性マイクロフォン、フィードバック除去、ノイズ除去、および圧縮のような両耳のための標準的な補聴器処理機能を実施することができる。補聴器処理は、選択的に、前記スマートフォンからの電話通話中および音楽再生中に適用されることができる。
【００３０】
この実施形態における、第２の使用方法は、前記デバイスによって提供されることができ、前記携帯デバイス自身が、少なくとも１つのマイクロフォン２３４と運ぶことができるとともに、例えば、前記携帯デバイスを保持するユーザが、彼らが会話している人の方へ向けることによって、前記ユーザは、関心のある音源の近くへ前記携帯デバイスを保持することができる。このような実施形態において、前記携帯デバイス（マイクロフォン２３４）からの前記信号は、前記両耳処理デバイスによって処理されるとともに、両耳用に前記ユーザへ配送される。
【００３１】
この実施形態において、第３の使用方法が提供される。この第３の使用方法において、他の携帯デバイスまたはアクセサリーマイクロフォンの前記マイクロフォンのような外部のマイクロフォン（図示せず）は、処理されるための前記両耳処理の一部として、外部マイクロフォン信号を使用するとともに、前記両耳処理デバイスへ伝送される。
【００３２】
動作の第４の使用方法は、スピーカー２１０、２２０を通じて周囲ノイズ除去を提供するためのものであって、マイク２１２、２２２によって各耳において取得された、検出されたノイズ信号に基づく。イアレベルの前記マイク２１２、２２２の位置は、特に周囲ノイズ除去に関して有利である。
【００３３】
前記音響処理をスマートフォンへ移し変えると、単純なトグルスイッチ等とは対照的に前記ユーザへ表示するための洗練されたユーザインターフェースも許可され、それらの全ては、イアマウンテッドデバイスにおいて典型的に提供されることができる。
【００３４】
動作の前記第２から第４の使用方法は、前記ユーザが前記携帯デバイスへコマンドを入力することによって、任意で始めることができる。好ましくは、信号遅延は、フィードバック除去のため、および否定的な閉塞効果をされるために最低限に保たれる。
【００３５】
本発明の実施形態は、前記補聴器プロセッサ２４０が取り付けられた前記ヘッドセットとインターフェイスで接続するために、単線で接続されたバスおよびマイクロフォン２１２、２２２とスピーカー２１０、２２０と、パルス長変調方式が使用される。前記接続された構成の結果、データは、各デバイスによって修復され、その後、同じ前記デバイスによって前記バスへ再変調される。これは、達成のために１シンボル周期を必要とし、したがって、前記バスのデバイスごとに、１シンボル周期のバスレイテンシが導かれる。したがって、データ消費デバイス（スピーカー２１０、２２０）は、前記バス上で、望ましくは最初でなければならず、かつデータ生成デバイス（マイクロフォン２１２、２２２）は、前記バス上の最後でなければならない。無線信号ネットワークは、他の実施形態において適切なものであってもよい。
【００３６】
特に、音は、イアレベルで両耳によって取得されるとともに、その後、前記携帯デバイスプロセッサ２４０において処理される。末端のマイクロフォンが使用される場合、これは、低い性能ではない補聴器性能を許可するための鍵である。加えて、これは、両方の耳からの情報を結合する適切なアルゴリズムのアプリケーションが前記信号処理を向上させ、および／または両耳統合を配送することを可能にする。
【００３７】
当業者には、広範に説明されるような本発明の主旨または範囲から逸脱せずに、特定の実施形態に示すような本発明に多数の変形および／または修正を行ってもよいことが認識される。本発明の実施形態は、したがって、あらゆる点で説明であり、限定するものではないとみなされる。
【符号の説明】
【００３８】
１０２  補聴器
１０４  補聴器
２０２  両耳処理デバイス
２１０  両耳スピーカー
２１２  マイクロフォン
２２０  両耳スピーカー
２２２  マイクロフォン
２３４  マイクロフォン
２４０  補聴器プロセッサ
２５０  ジャック
【図１】
0006421120.tif 000002
【図２】
0006421120.tif 000003
【図３】
0006421120.tif 000004
【図４】
0006421120.tif 000005